(57)【要約】  いくつかの階層を含む建物の外部に配置されるように適合された建物アクセス・システムであって、エレベータ用のエレベータ・シャフトを備えたエレベータ・モジュールと、建物の壁に装着するための装着装置とを備え、さらに、１つまたは複数のバルコニーを含む少なくとも１つのバルコニー・モジュールを備え、各前記バルコニーは、側壁内に、エレベータにアクセスできるようにするためのバルコニー・ドアを備え、バルコニー・モジュールまたは複数のモジュールは、エレベータ・モジュールに関連付けて建物に連結するように適合された１つまたは複数の別個のモジュールを含み、またはエレベータ・モジュールおよび１つまたは複数のバルコニー・モジュールは、一体型のエレベータおよびバルコニー・モジュールを含み、装着装置は、バルコニーおよびエレベータ・モジュールを建物の壁に相互連結するように適合される。【選択図】図１
2018514488.tif 000002
【特許請求の範囲】
【請求項１】
いくつかの階層を含む建物の外部に配置されるように適合された建物アクセス・システム（１００；１０１；１０２；１０３；１０４；１０５；１０６；１０７）であって、エレベータ用のエレベータ・シャフト（２Ａ）を備えたエレベータ・モジュール（２；２’；２’’；２’’’）と、装着装置（３；３’；３’’；３’’’；３’’’’）とを備え、さらに、１つまたは複数のバルコニー（１Ａ、１Ｂ；１Ｂ、１Ｂ）を含む少なくとも１つのバルコニー・モジュール（１、１；１’；１Ｂ’、１Ｂ’、１Ｂ’；１Ｂ’、１Ｂ’、１Ｂ’、１Ａ’、１Ａ’、１Ａ’；１Ｂ’’、１Ｂ’’、１Ｂ’’；１Ｂ’’、１Ｂ’’、１Ｂ’’、１Ａ’’、１Ａ’’、１Ａ’’）を備え、前記各バルコニーが、その１つの側部に、前記エレベータ・モジュール（２；２’；２’’；２’’’）に直接アクセスできるようにするための開口部またはバルコニー・ドア（１６）を備え、前記装着装置（３；３’；３’’；３’’’；３’’’’）または少なくともその一部（３Ａ）が、壁（４）に、または前記壁（４）に連結された装着要素（３６、３６）に、または前記建物の屋根裏の根太床に連結されるように適合され、前記壁、前記装着要素、または前記屋根裏の根太床によって担持されまたは懸架され、前記少なくとも１つのバルコニー・モジュールが、前記装着装置（３；３’；３’’；３’’’；３’’’’）によって前記建物に連結されるように適合され、したがって前記少なくとも１つのバルコニー・モジュールが、前記建物に連結された前記装着装置（３；３’；３’’；３’’’；３’’’’）、またはその一部（３Ａ）によって支持されまたは担持され、前記装着装置は、前記建物アクセス・システム（１００；１０１；１０２；１０３；１０４；１０５；１０６；１０７）と前記建物の前記壁（４）とを相互連結し、前記エレベータ・モジュール（２；２’；２’’；２’’’）および前記１つまたは複数のバルコニーまたはバルコニー・モジュールが、１つまたは複数の別個のモジュールを含み、またはエレベータ・モジュールおよび１つまたは複数のバルコニーまたはバルコニー・モジュールが、１つまたは複数の一体型のエレベータおよびバルコニーのモジュール／複数のモジュールを含む、建物アクセス・システム。
【請求項２】
前記装着装置（３；３’；３’’；３’’’；３’’’’）が、前記壁（４）および／または前記壁に連結された、またはたとえばボルトおよびナットまたは同様のものなどの締結手段によって建物の屋根裏の根太床に連結された、または前記屋根裏の根太床の一部を形成する第２の懸架式装着要素（３６、３６）に連結するように構成されたいくつかの鉛直構造体の好ましくは中空セクション（３１；３３；３３’；３３’’；３３’’’’）を備え、少なくとも１つのバルコニー・モジュールが、前記建物に連結された前記鉛直構造体の、好ましくは中空セクションにボルト留めするなどによって前記壁（４）に連結可能であるように適合され、前記鉛直構造中空セクション（３１；３３；３３’；３３’’；３３’’’’）は、少なくとも前記バルコニー・モジュールそれぞれの対向する後部の外側縁と前記壁（４）を相互連結するための鉛直構造体の、好ましくは中空セクション（３１；３３；３３’；３３’’；３３’’’’）があるように配設されるように適合される、請求項１に記載の建物アクセス・システム。
【請求項３】
前記エレベータ・モジュール（２；２’；２’’；２’’’）もまた、前記装着装置（３；３’；３’’；３’’’’）によって前記建物の前記壁（４）に連結されるように適合され、前記装着装置（３；３’；３’’；３’’’’）は、さらに、前記エレベータ・シャフト（２’）と各バルコニーとの間で直接的にアクセスできるようにするように、前記エレベータ・モジュール（２；２’；２’’；２’’’）および前記バルコニーおよび／またはバルコニー・モジュールと連結するように適合され、前記エレベータ・モジュール（２；２’；２’’；２’’’）は、前記建物に連結された鉛直構造体の、好ましくは中空セクションにボルト留めするなどによって前記壁（４）に連結可能であるように適合される、請求項１または２に記載の建物アクセス・システム。
【請求項４】
前記エレベータ・モジュール（２’）または複数のエレベータ・モジュールが、地面上に配置された支持構造体、たとえば土質基礎構造体（３Ｂ）によって担持されまたは支持されるように適合される、請求項１または２に記載の建物アクセス・システム。
【請求項５】
前記装着装置（３；３’；３’’）の前記鉛直構造体の、好ましくは中空セクションの２つの第１のものが、前記エレベータ・シャフト（２Ａ）を形成する前記エレベータ・モジュール内に、前記壁（４）と連結するために前記エレベータ・シャフト（２Ａ）の後側に互いから距離を置いて配設される、請求項３に記載の建物アクセス・システム。
【請求項６】
前記各バルコニー・モジュールが、前記装着装置（３；３’；３’’）の１つまたは複数の第２の鉛直構造中空セクション（３１；３３；３３’；３３’’；３３’’’’）に連結されるように適合される、請求項１〜５のいずれか一項に記載の建物アクセス・システム。
【請求項７】
種々の階層を提供するために、前記アクセス・システムの装着された状態において上下に配置された少なくとも２つのバルコニーまたはバルコニー・モジュール（１Ａ、１Ａ、１Ａ、１Ｂ、１Ｂ、１Ｂ；１Ｂ’、１Ｂ’、１Ｂ；１Ａ’、１Ａ’、１Ａ’、１Ａ’；１Ａ’’．．，１Ｂ’’．．）を備え、前記少なくとも２つのバルコニーが、各１つのバルコニーを含む別個のバルコニー・モジュール内、または２つ以上のバルコニーまたは１つのバルコニーおよびエレベータ・モジュール（１Ｂ’’、２’’）を備える一体型モジュール内に含まれる、請求項１〜６のいずれか一項に記載の建物アクセス・システム。
【請求項８】
種々の階層を提供するために、前記建物アクセス・システムの装着された状態において上下に配置された３つ以上のバルコニーまたはバルコニー・モジュール（１Ａ、１Ａ、１Ａ、１Ｂ、１Ｂ、１Ｂ；１Ｂ’、１Ｂ’、１Ｂ；１Ａ’、１Ａ’、１Ａ’、１Ａ’；１Ａ’’．．，１Ｂ’’．．）を備え、前記少なくとも３つのバルコニーは、各１つのバルコニーを含む別個のバルコニー・モジュール内、または３つ以上のバルコニーを備える一体型モジュール内に含まれる、請求項７に記載の建物アクセス・システム。
【請求項９】
少なくとも１つの平面または階層内に、前記エレベータ・シャフト（２Ａ）の両側に位置する２つのバルコニー、またはバルコニー・モジュール（１Ａ、１Ｂ；１Ａ’、１Ｂ’；１Ａ’’、１Ｂ’’）を備える、請求項１〜８のいずれか一項に記載の建物アクセス・システム。
【請求項１０】
１つまたは複数のバルコニーが、前記エレベータ・モジュール（２’’）の１つ、２つ、または３つの側に、同じおよび／または異なる平面内に配設された、一体型のエレベータおよびバルコニー・モジュール（１Ｂ’’、２’’）を含む、請求項１〜８のいずれか一項に記載の建物アクセス・システム。
【請求項１１】
前記各バルコニーが、前記建物の前記壁（４）に沿って水平に配置されるように適合された後部セクション（６２）と、前部セクション（６７）と、２つの側部セクション（６４、６４）とを備える支持床フレーム構造体（６；６’）を備える、請求項１〜１０のいずれか一項に記載の建物アクセス・システム。
【請求項１２】
前記エレベータ・モジュール（２；２’；２’’；２’’’）が配設される側から外方を向く、前記側部セクション（６４）の前記後端部が、装着要素、たとえば前記第２の鉛直構造中空セクション（３３’）の内側に隣接して配設され、位置し、共働する締結装置（６６、７１、７２）によって前記第２の鉛直構造中空セクションに連結可能であるように適合される、請求項１１に記載の建物アクセス・システム。
【請求項１３】
前記建物アクセス・システムの装着状態において、前記エレベータ・モジュール（２；２’；２’’；２’’’）が配設される場所に隣接して位置する前記他の側部セクション（６４）の前記後端部が、前記装着装置の装着要素、たとえば別の前記第２の鉛直構造中空セクション（３３’）の内側に隣接して位置し、共働する締結装置（６６、７１、７２）によって前記第２の鉛直構造中空セクションに、または第１の鉛直構造中空セクション（３’；３３’’）に連結可能であるように適合される、請求項１２に記載の建物アクセス・システム。
【請求項１４】
前記鉛直構造中空セクションの一部、たとえば第２の鉛直構造中空セクション（３３）が、前記第２の鉛直構造中空セクションに対して垂直に配設された水平担持ビーム（３８）または構造体中空セクションであって、前記建物アクセス・システムの装着された状態において突起し、前記建物の前記壁（４）に対して実質的に９０°の角度を形成するように適合された、水平担持ビーム（３８）または構造体中空セクションを含み、前記水平担持ビーム（３８）または構造体中空セクションは、たとえば溶接によって前記建物に固定式に連結される、請求項２、または請求項２に従属する請求項２〜１２のいずれか一項に記載の建物アクセス・システム。
【請求項１５】
前記または各支持床フレーム構造体（６）が、２つのそれぞれの前記水平担持ビーム（３８）に連結され、または２つのそれぞれの前記水平担持ビーム（３８）によって担持されるように適合される、少なくとも請求項１２に記載の建物アクセス・システム。
【請求項１６】
前記支持フレーム構造体の前記側部セクション（６４、６４）が、前記水平担持ビーム（３８）に連結可能であり、前記水平担持ビーム（３８）は、前記側部セクション（６４、６４）に沿って配設される、請求項１５に記載の建物アクセス・システム。
【請求項１７】
追加の担持要素（３９；３９Ａ；３５；４０）であって、１つの端部において、前記支持床フレーム構造体（６、６’）の前記前部セクション（６３）または中間コーナ・セクション（１４）と接合する前記支持床フレーム構造体（６；６’）の前記側部セクション（６４、６４）の前記外側縁により近い場所に連結されまたは固定され、反対側において、前記装着装置（３；３’；３’’）、たとえば前記側部セクション（６４、６４）の前記それぞれの内側縁が連結される、または水平担持ビーム（３８）が連結される鉛直構造中空セクション（３３’；３３’’）の装着要素に、前記連結から距離を離して連結されるように適合される、追加の担持要素をさらに備える、請求項１〜１６のいずれか一項に記載の建物アクセス・システム。
【請求項１８】
前記追加の担持要素の少なくとも一部が、前記側部セクション（６４）の前記内側縁が連結される前記点の下方点に、水平担持ビーム（３８）によって直接的にまたは水平担持ビーム（３８）を介して間接的に連結された支持ストラット（３９）を備える、請求項１７に記載の建物アクセス・システム。
【請求項１９】
前記エレベータ・モジュール（２；２’；２’’；２’’’）から外方を向くフレーム側部セクション（６４）に配置されるように適合された追加の担持要素が、プルロッド（３５；３５Ａ；４０）を備え、前記追加の担持要素の外側端部にある前記プルロッド（３５；３５Ａ；４０）は、前記装着装置、たとえば鉛直構造中空セクション（３３；３３’；３３’’）の装着要素に、前記対応する側部セクション（６４）が前記鉛直構造中空セクションに連結される点の上方に位置するそれぞれの点において、直接的にまたは水平担持ビーム（３８）を介して間接的に連結される、請求項１７または１８に記載の建物アクセス・システム。
【請求項２０】
前記エレベータ・モジュール（２；２’；２’’；２’’’）から外方を向く前記フレーム側部セクションが、プルロッド（３５；３５Ａ；４０）および／または支持ストラット（３９）によって前記鉛直構造中空セクション（３３；３３’；３３’’）に追加的に連結される、請求項１７〜１９のいずれか一項に記載の建物アクセス・システム。
【請求項２１】
建物の前記壁に連結可能なコンソール要素（３４）をさらに備え、前記アクセス・システムの装着ための前記装着装置の少なくとも一部の装着要素（３；３３；３３’；３３’’；３’、３１、３２）、たとえば第１および／または第２の鉛直構造中空セクションの前記下側端部が、前記構造体の装着された状態において、前記コンソール要素に載置するように配置されるように適合される、請求項１〜２０のいずれか一項に記載の建物アクセス・システム。
【請求項２２】
前記第１の鉛直構造中空セクション（３’）がＬ字形状であり、前記第１の鉛直構造中空セクションの前記下側端部は、建物上に装着された状態において、前記建物の前記外部壁に沿って鉛直に延びる第１の脚部セクション（３１）と、前記第１の脚部セクション（３１）と共に９０°の角度を形成する第２の脚部セクション（３２）とを備え、装着された状態において、前記第２の脚部セクション（３２）は、前記コンソール要素（３４）の第２の脚部セクション（３４’’）上に載置するように配置され、前記コンソール要素（３４）は、前記コンソール要素（３４）の前記Ｌ字形状を形成する第１および第２の脚部セクション（３４’、３４’’）内に配設されたくさび（３４０）を備えた逆Ｌ字の形状を有する、請求項２に記載の建物アクセス・システム。
【請求項２３】
前記支持床フレーム構造体（６；６’）が、前記後部フレーム・セクション（６２）から前記前部フレーム・セクション（６３）まで平行に延びるいくつかの水平ビーム（６１）と、前記支持床フレーム構造体（６；６’）の上部に位置するように適合されたグレーティング床（１２）または同様のものと、たとえば別の下方に配設されたバルコニー内側屋根を形成する、前記支持床フレーム構造体（６；６’）の下側部に連結されるように適合された屋根ふき要素（２２）とを備え、各バルコニーが、さらに、前壁（１５）、第１および第２の側壁（１３、１３）を少なくとも備える壁配置を備え、前記エレベータ・シャフト（２Ａ）に通じる前記バルコニー・ドア（１６）は、それぞれのバルコニーのそれぞれの第１の側壁（１３、１３）内に配設される、請求項１〜２２のいずれか一項に記載の建物アクセス・システム。
【請求項２４】
バルコニーが、さらに、水に対して保護し、水の流出を支援するための、たとえば金属のベント・プレート構造体を備え、前記プレート構造体は、第１の外側の外方向に傾斜するプレート部分（１１０）であって、前記プレート部分の上側縁に前記支持床フレーム構造体（６；６’）の前記側部および前部セクションの上側部に沿って配設されたフランジ（１２１）によって、前記バルコニー壁（１３、１３）の下側縁の内側に取り付け可能である、第１の外側の外方向に傾斜するプレート部分と、後部プレート部分（１１２）を前記第１の外側プレート部分（１１０）に相互連結する底部プレート部分（１１１）とを備え、前記底部プレート部分（１１１）は、外方向にわずかに傾斜し、さらに、前記第１の外側プレート部分（１１０）との接合部の近くに、水の流出を可能にする排出穴（１１４）が設けられ、前記後部プレート（１１２）部分は、前記／１つのバルコニー内側屋根ふき（２２）の下方に取り付けられた上側の、より急な外側に傾斜する水落下部分（１１３）を含む、請求項２３に記載の建物アクセス・システム。
【請求項２５】
エレベータ・モジュール（２；２’；２’’；２’’’）と、建物アクセス・システム（１００；１０１；１０２；１０３；１０４；１０５；１０６、１０７）を建物上に装着するための装着装置（３；３’；３’’）とを備える、前記建物アクセス・システムを、前記建物に提供するための方法であって、
前記装着装置（３；３’；３’’；３’’’；３’’’’）の少なくとも一部を前記建物に連結するステップと、
前記アクセス・システムの、１つまたは複数のバルコニーを含む前記少なくとも１つまたは複数のバルコニー、またはバルコニー・モジュール（１、１；１’；１Ｂ’、１Ｂ’、１Ｂ’；１Ｂ’、１Ｂ’、１Ｂ’、１Ａ’、１Ａ’、１Ａ’；１Ｂ’’、１Ｂ’’、１Ｂ’’；１Ａ’’、１Ａ’’、１Ａ’’、１Ｂ’’、１Ｂ’’、１Ｂ’’）を、前記装着装置（３；３’；３’’；３’’’；３’’’’）に連結するステップ、およびエレベータ・シャフト（２Ａ）を備えた前記エレベータ・モジュールを前記装着装置（３；３’；３’’；３’’’’）および／または地面上に配置された支持構造体（３Ｂ）、たとえば土質基礎構造体に連結するステップであって、各前記バルコニーは、前記エレベータにアクセスできるようにするための開口部またはバルコニー・ドア（１６）を備え、前記開口部／開口部またはバルコニー・ドア／複数のドア（１６）が、バルコニー側壁（１３）、または前記エレベータ・シャフト（２Ａ）に隣接し連通するバルコニー側部手すり上に設けられ、前記少なくとも１つまたは複数のバルコニーまたはバルコニー・モジュール（１、１；１’；１Ｂ’、１Ｂ’、１Ｂ’；１Ｂ’、１Ｂ’、１Ｂ’、１Ａ’、１Ａ’、１Ａ’；１Ｂ’’、１Ｂ’’、１Ｂ’’；１Ａ’’、１Ａ’’、１Ａ’’、１Ｂ’’、１Ｂ’’、１Ｂ’’）は、１つまたは複数のバルコニーを含み、エレベータ用のエレベータ・シャフト（２Ａ）を備えた前記エレベータ・モジュールは、別個のモジュールとしてまたは１つまたは複数の一体型モジュールとして連結され、または装着される、前記装着装置および／または支持構造体に連結するステップとを含む、方法。
【請求項２６】
少なくとも２つのバルコニーまたは少なくとも１つのバルコニーおよび少なくともエレベータ・モジュールまたはエレベータ副モジュールを備える１つまたは複数の一体型モジュール備える前記アクセス・システム（１００；１０１；１０２；１０３；１０４；１０５；１０６；１０７）を連結するステップであって、それにより、少なくとも２つのバルコニーは、前記アクセス・システムの装着された状態において、鉛直に異なる平面内に配設されて少なくとも２つの階層を提供し、ならびに／または少なくとも２つのバルコニーは、前記エレベータ・モジュール（２；２’；２’’；２’’’）の異なる側部に配設されて少なくとも２つの異なる平面または階層を提供する、１つまたは複数の一体型モジュールを連結するステップを含む、請求項２５に記載の方法。
【発明の詳細な説明】
【技術分野】
【０００１】
本発明は、請求項１の最初の部分の特徴を有する建物アクセス・システムに関する。本発明はまた、請求項２５の最初の部分の特徴を有する建物アクセス・システムを建物に提供するための方法に関する。
【背景技術】
【０００２】
近年、建物、たとえば複数の階層を有する雑居ビルだけでなく１階または数階の階層のみを有する建物にも、誰もがエレベータによって容易にアクセスできるようにする手段を装備するという要求が、ますます増加している。エレベータ装置はコストがかかる設備であるため、これらの要求により、建物はより高額になっている。特に建物が２階、３階、または４階しか含まない場合、エレベータ装置を設置する値段に見合わないという結果になり得る。
【０００３】
この問題は、特に居住用建物用の既存の建築ストック（building stock）内ではさらにいっそう顕著になっている。これは、既存の、たとえば古い建物にエレベータ装置を設けるにはかなりの投資を伴うだけではないためである。そのような建物は、通常、エレベータ設備を受容するように適合されておらず、そのような設置は非常にスペースを取るため、建物の大幅な改築を必要とする場合がある。たとえば、これは、階段に近い、共同住宅に通常使用される利用可能なスペースの一部を使用することを必要とし得る。エレベータ装置はまた、建物内の各住戸にとってアクセスが容易であるように配置されなければならない。
【０００４】
これらの要因により、一部の場合、既存の建物にエレベータを装備するための投資に値するかどうかも疑わしくなることがある。
【０００５】
そのような場合、より魅力的な代替策は、建物を解体し、その代わりにエレベータ装置を装備した新しい建物を構築することになり得る。
【０００６】
特許文献１は、既存の１世帯または２世帯用建物に設置するためのホーム・エレベータを提案している。これは、下階のオープン・デッキと、上階のベランダとを備え、既存の家の窓側の外部壁と連結するように配置される。入口がそれぞれの踊り場を貫通して設けられる。エレベータ室は、フロア間を上下する。入口は、ベランダおよびオープン・デッキに通じる摺動式ドアを通して設けられる。そのような装置は、１世帯用の家に使用されるように限定され、特に建物と安全に連結されない。
【０００７】
特許文献２が示すシステムは、地面に載置し、クロスバーが連結した支持要素を備えた別個の支持構造体が、いくつかのバルコニーを支持するために配置され、それによってバルコニーのすべての鉛直負荷がこれによって吸収されるようなものである。エレベータ装置は、バルコニー設備と同じ支持構造体を使用し、エレベータは、支持構造体に連結されたレールを介して走る。建物が地面に対して動き、または逆の形で動くため、いくつかの問題がそのような構造体に関連付けられ得る。土質基礎の対策は、必ずしも望ましくはなく、可能でもないことがそのようなシステムの欠点でもある。
【０００８】
また、既存の居住用建物に外部エレベータ装置を装備することも知られている。そのような外部エレベータ装置は、このとき、既存の階段と連結して建設され、この場合、各階段吹き抜けの隣に翼（wing）が建設される。これは、極めて高額でスペースが必要な代替策であり、建設および設置に非常に時間がかかり、利用できる外部スペースが限定される場所、たとえば建築ストックが過密であるエリアでは不可能である。
【０００９】
こうして、既存の解決策に基づく選択肢は、高額で時間がかかる設置を行うものになる。この選択肢は、たとえば、通常居住エリアとして使用されているスペースを設置用として必要とし、それによって既存の居住エリアまたは他の近隣、たとえば事務所などのサイズを低減する可能性があり、非常にコストがかさむ。そのようにコストがかさむことがあるため、共同住宅、事務所または同様のものに対するコストの増大が必要となり、これは、テナントまたは所有者には受け入れられない。
【００１０】
代替策は、建物を解体する、またはそのままにしておくことであるが、そのままにしておくことで、特に他のリフォーム対策が行われる予定の場合、建物の水準は、そのような他の対策をとるためのコストに対応するレベルまで上がらないので不十分になり得る。
【００１１】
また、家の新築の場合、たとえば、低コスト代替策が建設される場合に建物にエレベータを装備するのに必要とされるコストおよびスペースが不必要に大きい場合、またはより一時的な建物の場合、それによってエレベータを含む容易なアクセス設備無しで建設される必要がある場合がある。
【００１２】
特に、都市圏内の住宅の高密度化は、高価でない共同住宅に対するニーズが存在するのと同時に、さらに同時にアクセス設備に対する要求もさらに増加しているためますます魅力的になっていることを考えると、既存の解決策のいずれも満足ではないことが理解される。
【先行技術文献】
【特許文献】
【００１３】
【特許文献１】特開平１１−３５２５４号公報
【特許文献２】独国特許出願公開第１０２００５０５００６６号明細書
【発明の概要】
【００１４】
したがって、本発明の目的は、上記で述べた問題の１つまたは複数を解決することができる、冒頭に示した建物アクセス・システムを提供することである。
【００１５】
特定の目的は、エレベータ設備を備える知られている従来のアクセス・システムよりも小さいスペースを必要とする建物アクセス・システムを提供することである。
【００１６】
特に、安価で、建物への設置が容易かつ複雑でない建物アクセス・システムであって、さらに使用時および装着中に高い安全基準を満たす、建物アクセス・システムを提供することが目的である。
【００１７】
特定の目的は、既存の建物の利用可能な内部スペース、すなわち居住エリアまたは階段吹き抜けへのアクセスを必要とせず、このスペースを低減することなく設置することができる建物アクセス・システムを提供することである。
【００１８】
さらに、特定の目的は、製作および装着が容易である建物アクセス・システムを提供することである。
【００１９】
特定の目的は、装着する対象の建物への輸送が容易である建物アクセス・システムを提供することである。
【００２０】
さらに別の目的は、迅速に装着することができる建物アクセス・システムを提供することである。
【００２１】
別の特定の目的は、柔軟性がある、建物アクセス・システムであって、建物にバルコニーが装備されているか否かに関係なく、また実質的には共同住宅、事務所などがその建物内でどのように構造体化されているかに関係なく、新しい建物を建設するとき、また既存の建物にも有利に使用することができる、建物アクセス・システムを提供することである。
【００２２】
さらに別の目的は、高い安全基準を満たし、さらに、見栄えが良く、建物の居住者にとって快適である建物アクセス・システムを提供することである。
【００２３】
したがって、請求項１の特徴付けられた特徴を有する冒頭に示した建物アクセス・システムが、提供される。
【００２４】
また、特に、上記で述べた目的の１つまたは複数を満たすことができる、請求項２５の最初の部分の特徴を有するアクセス・システムを建物に提供するための方法を提供することが、目的である。
【００２５】
したがって、請求項２５の特徴付けされた特徴を有する方法が、提供される。
【００２６】
有利な実施形態は、それぞれの付属の副請求項によって与えられる。
【００２７】
本発明は、以下において、非限定的な方法で添付の図を参照してさらに説明される。
【図面の簡単な説明】
【００２８】
【図１】建物の外部壁に装着されたとき、２つの側にあるバルコニーによって取り囲まれるエレベータ・モジュールを備える、本発明の１つの実施形態によるアクセス・システムの概略図である。
【図２】建物の外部壁に装着されたとき、多階層バルコニー・モジュールがその１つの側にあるエレベータ・モジュールを備える、本発明の別の実施形態によるアクセス・システムの概略図である。
【図３】例証のためにエレベータ・モジュールが家壁に連結するための適所にある、図２のアクセス・システムを拡大した簡易化された斜視図である。
【図３Ａ】エレベータ・モジュールが土質基礎に連結するための適所にあり、バルコニー・モジュールが装着装置を介して壁に装着するための適所にある、代替のアクセス・システムの１セクションの簡易化された斜視図である。
【図３Ｂ】建物の屋根裏の根太床に連結された装着要素に連結するための適所にある、代替のアクセス・システムの１セクションの簡易化された斜視図である。
【図４Ａ】建物の壁に装着するための適所にある、エレベータ・モジュールおよび別個のバルコニー（副）モジュールを備える例示的なアクセス・システムを示す図である。
【図４Ｂ】壁に装着された状態にある図４Ａのアクセス・システムを示す図である。
【図４Ｃ】建物の壁に装着するための適所にある、エレベータ副モジュールに分割されたエレベータ・モジュールおよび別個のバルコニー副モジュールを備える代替の例示的なアクセス・システムを示す図である。
【図４Ｄ】壁に装着された状態にある図４Ｃのアクセス・システムを示す図である。
【図５】前壁が取り外された、例示的なバルコニー・モジュールの簡易化された斜視図である。
【図６】１つの実施形態によるバルコニーの支持フレーム構造体の斜視図である。
【図７Ａ】支持フレーム構造体にその両側において装着するためのグレーティング床および内側屋根ふき材を有する、図６の支持フレーム構造体を示す図である。
【図７Ｂ】本発明の１つの実施形態による、装着装置に装着される、グレーティング床および内側屋根ふき材を備えた支持フレーム構造体を示す図である。
【図７Ｃ】装着装置に装着されたときの、図７Ｂのグレーティング床および内側屋根ふき材を備えた支持フレーム構造体を示す図である。
【図８】異なる（追加の）連結要素を備えた、例証のための装着装置の鉛直構造中空セクションの概略図である。
【図９】１つの実施形態による、バルコニーに連結された防水装置の非常に概略的な断面斜視図である。
【図１０】防水装置および水逃がし機能を概略的に示す断面図である。
【発明を実施するための形態】
【００２９】
図１は、エレベータ用のエレベータ・シャフト２Ａを備えたエレベータ・モジュール２と、エレベータ・モジュール２の２つの両側に配設された２つのバルコニー・モジュール１、１とを備える建物アクセス・システム１００の１セクションを示す。各バルコニー・モジュールは、ここでは、３つの（図示する）バルコニー１Ａ、１Ａ、１Ａ；１Ｂ、１Ｂ、１Ｂを含み、この場合それぞれのモジュールのバルコニーは、上下に鉛直に配設される。他の実装では、各特有のバルコニーが、その／１つのエレベータ・モジュールおよび装着装置に別個に装着され、連結された別個のモジュールを備えることができることが明確であるはずである。他の実施形態では、アクセス・システムは、一体型モジュールを備えることができる。この一体型モジュールは、エレベータ・モジュールと、１つまたは複数の平面内のエレベータ・モジュールの一方の側に配設されたいくつかのバルコニーまたはバルコニー・モジュールとを備える。
【００３０】
さらに他の実施形態では、１つまたは複数の階層または平面に対してバルコニー・モジュールを提供することができる。このバルコニー・モジュールは、エレベータの１つの側のみ、または３つの側にも配設されるように適合される。また、エレベータ・モジュールの２つまたはそれ以上の側に配設されたバルコニーを、平行な平面内、または平行ではない平面内に配設することができるが、たとえば互いに対して（装着された状態で）鉛直に変位させることができることも明確であるはずである。平面の数はまた、異なる側では異なり得る。当然ながらそのような他の異なる実装および変形形態もまた、本発明によって対応される。これは、建物アクセス・システムが別個のモジュールを備える、すなわちエレベータ・モジュールおよびバルコニーまたはバルコニー・モジュールが一体化されない場合、または異なる方法で一体化される、たとえば、図４Ａ〜４Ｄの例のように各平面に対して、エレベータ・モジュールと、１つ、２つ、または３つのバルコニー、またはバルコニー・モジュールとを備える１つのモジュールを備える場合である。
【００３１】
図１では、建物の外部壁４に装着されたいわゆる鉛直構造中空セクション（図１には１つのみ示す）を備える装着装置３が、概略的に示される。この装着装置３には、２つの３面バルコニー・モジュールおよびエレベータ・モジュール２が、それらの後部側縁上において装着される。各バルコニーは、エレベータ・シャフト２Ａ内を通るエレベータにアクセスできるようにするための、それぞれのバルコニーの側壁１３内に設けられたバルコニー・ドア１６を備える。図１では、バルコニーの前壁１５および任意選択のコーナ壁１４も示される。装着装置は、代替的に、鉛直構造中空セクション以外の他の要素、たとえば中空ではない鉛直要素を備えることができ、そのような要素は、中空であるかないかは関係なく、任意の適切な断面、たとえば正方形形状、矩形などを有することができることが、明確であるはずである。
【００３２】
図示する実施形態では、バルコニーには、防水装置１１が設けられ、これは、図９〜１０を参照して以下にさらに説明される。当然ながら、防水装置は、本発明の概念を機能させるのに必要でなく、提供される場合、任意の他の種類のものでよい。
【００３３】
装着装置３は、建物の壁４に連結され、これは以下でさらに説明される。
【００３４】
また、本発明の概念は、装着装置の任意の特定の種類に限定されず、モジュールは、別個にまたは１つまたは複数の一体型モジュールとして、任意の適切な方法で建物の外部壁に連結されてよいことも明確であるはずである。装着装置は、代替的に、または追加的に、異なる種類の、異なる方法で配置された第２の懸架式装着要素と示される装着要素に連結され得る。装着装置は、このとき、この第２の装着要素に連結され、限定的にまたは追加的にこれによって支持され得る。そのような第２の懸架式装着要素は、バーまたはビームを備えることができる。このバーまたはビームは、建物の屋根裏の根太床または壁の一部を形成することができ、またはこれに固定式に連結され得る。さらに別個の、たとえば異なる装着装置または要素が、エレベータ・モジュールおよびバルコニー・モジュールに使用されてよく、エレベータ・モジュールは、土質基礎によって支持され担持されてよく、一方でバルコニー・モジュールは、建物に連結され建物によって支持された装着装置の一部を介して建物によって担持され、支持される形で建物に連結される。
【００３５】
さらに、バルコニーは、幅広い意味で解釈されなければならない。これは、たとえば、一部の場合、少なくとも最下階における、ベランダ、テラスまたは同様のものとすることができる。これはまた、任意の種類のプラットフォームなどにも関連することができる。さらに、当然ながら、これは、ガラスバルコニーである必要はなく、代替的に１つまたは複数の中実壁、手すりなどを備えることができる。バルコニー・ドアは、一部の実施形態では、エレベータが到着するとき以外は閉じられるドアがエレベータ・シャフト内に存在するという条件では、バルコニーの手すり内のドア、または半分の高さのドアのみを含むことができる。異なる種類のエレベータを使用することもできる。エレベータ・モジュールは、壁に装着するだけであるか、またはここでも、ただしいかなる実基礎、またはキャッチ・トラップ（ｃａｔｃｈ  ｔｒａｐ）も必要としない追加の支持体を設けることもできるが、そのようなエレベータの使用は、当然ながら排除されない。代替的には、エレベータ・モジュールは、地面上の基礎または任意の適切な種類の土質基礎によって、単独でまたは追加的に支持される一方、バルコニー・モジュールは、建物に連結される。居住エリアに通じる内側バルコニー・ドア７は、点線によって示される。
【００３６】
図２は、本発明による代替のアクセス・システム１０１を示す。このアクセス・システムは、エレベータ用のエレベータ・シャフトを備えるエレベータ・モジュール２’と、上下に鉛直に配設されたいくつかのバルコニー１Ｂ、１Ｂを備えるバルコニー・モジュール１’とを備える。各バルコニーは、別個のバルコニー・モジュールによって含まれてもよく、この場合、エレベータ・モジュール２’に関連して、その１つの同じ側に配設された複数のバルコニー・モジュールが存在することが明確であるはずである。同じ要素は図１と同じ参照番号を有し、これ以上説明されない。
【００３７】
装着装置３’は、エレベータ・モジュール２’を家壁４に連結するように適合された２つの第１の鉛直構造中空セクション（１つのみを示す）を含む。各第１の鉛直構造中空セクションは、Ｌ字形状であり、第１の脚部セクション３１は、エレベータ・モジュール２’を家壁４に鉛直方向に相互連結するように適合され、第２の脚部セクション３２は、第１の脚部セクション３１に対して垂直に配設され、エレベータ・モジュール２’のそれぞれの下側の側縁に配設されるように適合される。
【００３８】
図２では、１つの実施形態による装着装置の第２の装着要素（図２には示さず）の支持要素３４が示される。この支持要素はここでは、少なくとも、エレベータ・モジュール２’から外方を向くバルコニー・モジュール１’の側を壁４に装着する／連結する目的を果たす。
【００３９】
図３は、図２に示すアクセス・システム１０１の拡大された部分図である。説明のために、エレベータ・モジュール２’は、家壁４に連結された装着装置３’に装着する直前の状態で示される。したがって、ここでは、エレベータ・モジュール２’の後部の外側の側縁２０１は、第１の脚部セクション３１に連結されるものであり、一方でその下側の外側の側縁２０２は、第２の脚部セクション３２に水平に連結され、または第２の脚部セクション３２に鉛直に、したがってその上に載置するものである。
【００４０】
代替の実施形態（図示せず）では、第１の鉛直構造中空セクションは、エレベータ・モジュールと一緒になって家壁に取り付けるためにエレベータ・モジュールに一体化される。また、一体化された建物アクセス・システムの場合、装着装置は、建物アクセス・システムと部分的にまたは全体的に一体化され得る。代替的には、装着装置はこれから別個のものであり、さらに他の実施形態では、装着装置の一部は、一体化され、他の部分は一体化されない。例示的な実施形態では、装着装置は、一体型モジュールの一部を形成するエレベータ・モジュール内に一体化される。数多くの変更形態が可能である。
【００４１】
図３Ａは、本発明による代替のアクセス・システム１０６を示す。この代替のアクセス・システムは、エレベータ用のエレベータ・シャフトを備えるエレベータ・モジュール２’と、上下に鉛直に配設されたいくつかのバルコニー１Ｂ、１Ｂを備えるバルコニー・モジュール１’とを備える。各バルコニーがまた、別個のバルコニー・モジュールによって含まれてよく、この場合、エレベータ・モジュール２’に関連して、その１つの同じ側に配設された複数のバルコニー・モジュールが存在することが明確であるはずである。同じ要素は、図１と同じ参照番号を有し、これ以上説明されない。
【００４２】
装着装置３’’’は、ここでは、バルコニー・モジュール１’用およびエレベータ・モジュール２’用の少なくとも部分的に別個の装着装置構造体３Ａ、３Ｂを含む。第１の装着装置構造体３Ａは、バルコニー・モジュール１’を家壁４に連結するように適合された、たとえば図７Ｂ、７Ｃに見られる、（１つのみを示す）２つの第１の鉛直構造中空セクション３３’を備える。各第１の鉛直構造中空セクション３３’は、たとえば図７Ｂを参照して説明するようにコンソール要素３４によって、または任意の他のコンソール要素によって、または全くコンソール要素無しで支持される。エレベータ・モジュール２’は、ここでは、地面上または地面内に配設された基礎、たとえば土質基礎３Ｂによって支持されまたは担持されるように配置される。エレベータ・モジュール２’は、追加的に、担持ではなく連結目的で、かつこれを壁上の所定位置にバルコニー・モジュールに対して保つための、たとえば第１の装着装置構造体３Ａを介して、建物、たとえば壁４および／またはバルコニー・モジュールに連結され得る。
【００４３】
説明のために、エレベータ・モジュール２’は、家壁４および地面それぞれに連結された装着装置３’’’に装着する直前の状態で示される。
【００４４】
図３Ｂは、本発明による代替のアクセス・システム１０７を示す。このアクセス・システムは、エレベータ用のエレベータ・シャフトを備えるエレベータ・モジュール２’と、上下に鉛直に配設されたいくつかのバルコニー１Ｂ、１Ｂを備えるバルコニー・モジュール１’とを備える。各バルコニーがまた、別個のバルコニー・モジュールによって含まれてよく、この場合、エレベータ・モジュール２’に関連して、その１つの同じ側に配設された複数のバルコニー・モジュールが存在することが明確であるはずである。同じ要素は、図１と同じ参照番号を有し、これ以上説明されない。
【００４５】
装着装置３’’’’は、ここでは、たとえば建物の屋根裏の根太床（または図示しない代替の実施形態では、建物の壁）の一部を形成する、またはこれに固定式に連結されたバーまたはビームを備える第２の懸架式装着要素３６、３６を備える。第１の鉛直構造中空セクション３３’’’’、３３’’’’は、第２の懸架式装着要素３６、３６に連結され、たとえばこれによって懸架される。説明のために、エレベータ・モジュール２’は、図３Ｂの装着装置３’’’’に装着する直前の状態で示され、第２の懸架式装着要素３６、３６は、例証のために建物の壁または屋根裏から引き出されたように示されるが、実際にはこれらは、第１の鉛直構造中空セクション３３’’’’、３３’’’’の装着を可能にするのに十分な距離だけ突出する。１つの実施形態では、エレベータ・モジュール２’はまた、第２の懸架式装着要素３６、３６と共通の、またはこれとは別個の第２の懸架式装着要素によって連結され、懸架される。
【００４６】
エレベータ・モジュール２’は、代替的には、図３Ａのように土質基礎３Ｂによって支持されまたは担持されるように、または任意の他の説明する実施形態を参照して説明するように配置され得る。
【００４７】
図４Ａは、図３に示すエレベータ・モジュールに類似するエレベータ・モジュール２’を備えた建物アクセス・システム１０２を概略的に示す。これは、エントランス平面と、３つの平面とを含む。この３つの平面は、この実施形態では、その１つの側に設けられた３つの別個のバルコニー・モジュール１Ｂ’、１Ｂ’、１Ｂ’に関連付けられる。これはまた、図１に示すエレベータ・モジュールに類似するエレベータ・モジュール２を備えたアクセス・システム１０３を示すが、ここでは６つのバルコニーが、エレベータ・モジュール２の２つの側の３つの平面内に装着されるように配置された各別個のバルコニー・モジュール１Ａ’、１Ａ’、１Ａ’、１Ｂ’、１Ｂ’、１Ｂ’によって形成されている。したがって、この実施形態では、各バルコニーは、別個のモジュールを備え、エレベータ・モジュールは、複数の鉛直平面に対する一体型モジュールとなる。バルコニー・モジュールおよびエレベータ・モジュールは、建物の壁４上に装着するための適所で示されている。
【００４８】
図４Ｂでは、バルコニー・モジュール１Ｂ’、１Ｂ’、１Ｂ’；１Ａ’、１Ａ’、１Ａ’、１Ｂ’、１Ｂ’、１Ｂ’およびエレベータ・モジュール２’、２は、建物の壁４に装着された状態で示される。
【００４９】
図４Ｃは、アクセス・システム１０４、１０５の代替の実施形態を示す。このシステムでは、別個の装着手段３３’’が、ここでは手すりのみが設けられた複数の別個のバルコニー・モジュール１Ｂ’’、１Ｂ’’、１Ｂ’’；１Ａ’’、１Ａ’’、１Ａ’’、１Ｂ’’、１Ｂ’’、１Ｂ’’の各々に対して設けられる。しかし、当然ながら、代替の実施形態では、バルコニーは、たとえば各バルコニー・モジュールを壁４に別個に装着するための壁、たとえばガラスバルコニーを含むことができる。これらの実施形態では、エレベータ・モジュールは、各平面に１つずつの別個のエレベータ副モジュール２’’、２’’’を含む。別個の任意選択の追加の装着手段３’’もまた、壁４に固定された共通の装着装置に装着するために各エレベータ・モジュールに設けられる。図４Ｃの左では、別個のエレベータ・モジュール２’’は、その１つの側のみのバルコニー・モジュールと関連付けるように適合され、図４Ｃの右では、各エレベータ副モジュール２’’’は、その２つの側の２つのバルコニー・モジュールに関連付けられるように適合され、したがって２つの側にドアおよび開口部を備える実装が示される。底部エレベータ副モジュール２０は、この側壁または前壁（図示せず）に位置することができるエレベータ入口ドアを備える。
【００５０】
図４Ｄは、壁４上に装着された図４Ｃのアクセス・システム１０４、１０５を示す。
【００５１】
図５は、たとえば図１に示すようなバルコニー・モジュール１の１セクションを概略的に示し、このときバルコニー前壁は、例証のために取り外されている。上記で論じたように、バルコニー・モジュールは、１つだけのバルコニー１Ａ、または複数のバルコニー１Ａ、１Ａを含むことができる。類似の要素は、図１と同じ参照番号を有し、これ以上説明されない。バルコニー・ドア１６、１６は、エレベータ・モジュール（図示せず）にアクセスできるようにするようにバルコニー１Ａ、１Ａのそれぞれの側壁１３、１３内に配置される。図１では、各バルコニー１Ａのそれぞれの支持床フレーム構造体６も示され、このフレーム構造体の各々の上部には、グレーティング床１２が配設される。バルコニーから共同住宅または同様のものへの入口ドア７が、任意の所望の方法で設けられる。
【００５２】
図６は、バルコニーの例示的な支持床フレーム構造体６を示す。これは、建物の壁に沿って水平に配置されるように適合された後部セクション６２と、前部セクション６３と、２つの側部セクション６４と、後部セクション６２から前部セクション６３まで平行に延びる複数の支持ビーム６１とを備えた外側フレーム６０を備える。側部セクション６４、６４には、以下に図８を参照して論じる装着装置の鉛直ビームと連結するための穴６５、および／または異なる実施形態により、以下に図７Ｂを参照して論じる装着装置の（第２の）鉛直構造中空セクションと連結するための穴６６が設けられる。フレーム６０はまた、バルコニー壁（図示せず）と連結するための穴６７も含む。
【００５３】
図７Ａは、図６のフレーム構造体６に実質的に対応する支持床フレーム構造体６’を示す。この構造体は、締結手段によって第２の鉛直構造中空セクション３３’に直接的に連結するための穴６６と、追加の締結手段によってプルロッド４０の中に設けられた穴４１を介してプルロッド４０の一方の端部に連結するための穴６９とを含む。プルロッドは、反対側端部において、対応する第２の鉛直構造中空セクション３３’に締結手段によって連結するための穴４２を含む。
【００５４】
グレーティング床１２は、支持床フレーム構造体６’の上部に配設されるように適合される。
【００５５】
屋根ふき構造体２２は、支持床フレーム構造体６’の下側に連結可能である。屋根ふき構造体は、リッジまたは継ぎ目を含む。このリッジまたは継ぎ目は、ここでは平行に配設され、フレーム構造体６’の１つの側部セクション６４から他のセクション６４の方向に延びる。屋根ふき構造体は、任意の適切な方法でフレーム構造体６’に連結させることができ、最下階のバルコニーでない限り、下方に位置する別のバルコニーの屋根を形成するように構成される。最下階のバルコニーである場合、この屋根ふき構造体は、基礎床または底屋根を形成するだけで、その機能は同じである。リッジの１つの目的は、グレーティング床およびフレーム構造体からの水漏出をバルコニーの側部に向けて導くためのものである。リッジは、たとえば、金属薄板から形成され得る。１つの実施形態では、これは、波形金属板を含む。
【００５６】
図７Ｂは、装着された状態の図７Ａの床および屋根を形成する構造体、すなわち上部にグレーティング床１２が装着され、真下に屋根ふき構造体が装着された、支持床フレーム構造体６’を示す。これに加えて、プルロッド４０は、たとえば、ねじおよびボルト、または任意の他の適切な締結手段によってフレーム構造体に連結されている。フレーム構造体は、適切な締結手段によってフレーム構造体の両側に配設された２つの第２の鉛直構造中空セクション３３’、３３’に連結可能である。この締結手段は、たとえば、第２の鉛直構造中空セクション内の貫通穴およびフレーム構造体６’の側部セクション６４内の穴６６を通って導入されるボルト７１と、ボルト７２とを備える。プルロッド４０の反対側の端部は、これに対応して、締結手段、すなわちねじ７３およびボルト７４によって、または任意の他の適切な方法によって鉛直構造中空セクション３３’に締結される。
【００５７】
有利な実施形態では、装着装置は、さらに、コンソール要素３４を備える。このコンソール要素は、逆Ｌ字の形状を有し、建物の壁に連結するための第１の脚部分３４’と、第２の鉛直構造中空セクション３３’がその上に載置する、第１の脚部分３４’に対して垂直に配設された第２の脚部分３４’’とを備える。このコンソール要素は、さらに、この形状に適合されたくさび３４０を備える。このくさびは、建物の壁にボルト留めするためのいくつかの貫通穴３４１、３４１を含む。
【００５８】
有利な実施形態では、エレベータ・モジュールを支持するように意図された第１の鉛直構造中空セクションに追加の支持をもたらすために、コンソール要素３４に類似するコンソール要素も設けられる。
【００５９】
図７Ｃは、装着装置の第２の鉛直構造中空セクション３３’、３３’上に装着された図７Ｂのフレーム構造体６’を示す。
【００６０】
図８は、第２の鉛直構造中空セクション３３を示す概略図である。この第２の鉛直構造中空セクション上には、水平ビーム３８が、溶接され、または任意の他の適切な方法、たとえば共働する結合くぼみおよび突起部または同様のもの（図示せず）によって取り付けられる。本説明を通じて、鉛直におよび水平にそれぞれ参照して、装着装置、またはアクセス・システムの装着された状態に、すなわちこれが建物に装着されたときに参照がなされることは明確であるはずである。水平ビーム３８は、異なる実施形態では、図８に示すようにプルロッド３５、３５Ａ、支持ストラット３９の１つまたは複数によって連結され、さらに支持され得る。
【００６１】
フレーム構造体６は、ここでは、たとえばボルトおよびナットまたは同様のものを備える締結要素（図示せず）によって、フレーム構造体６内の貫通対合穴６５、および水平ビーム３８内の穴３５’それぞれを介して、前記水平ビームに連結され得る。プルロッド３５を、実際には、エレベータ・モジュールを向く支持床フレーム構造体の側に設けることができないことが明確であるはずである。また、支持床フレーム構造体（６、６’）が、図７Ａ〜７Ｃを参照して第２の鉛直構造体中空要素（３３’）に直接的に連結されたときでも、異なる追加の支持要素を任意の所望の方法で提供することができることも明確であるはずである。
【００６２】
図８の左では、ビーム、プルロッドおよびストラットの例示的な断面図が示される。
【００６３】
図９は、バルコニーの外側縁に連結された防水装置１５５を概略的に示す。この防水装置は、たとえば雨水などのバルコニー床上で収集された水、またはバルコニー床上に偶発的にまたは意図的に注がれた水を逃がし、さらに、建物に向かって斜めに入射する雨水から、下に位置するバルコニー、テラス、または壁を保護するという二重の目的を果たす。グレーティング床１２および支持フレーム構造体を流れ抜けた水は、内側屋根ふき２２の上部に集められる。この内側屋根ふきは、好ましくは水をバルコニーの外側の側縁または一部分に向かって逃がすのを助けるリッジまたは波形２３を含む。防水装置１５５は、バルコニーの外側の前縁および側縁を取り囲むように配置される。図９では、バルコニーの後側から見た防水装置１０５の側部セクションの１つを示す。防水装置１５５は、第１の外側の外方向に傾斜するプレート部分１１０を含むベント・プレート構造体を備える。１つの実施形態では、前記第１の外側の外方向に傾斜するプレート部分１１０は、バルコニー壁１３の下側縁の内側に連結されるように、このプレート部分の上側縁にあるフランジ部分１２１によってバルコニーに、好ましくはフレーム側部セクション６４およびフレーム前部セクション（図示せず）（または図示しないが、相互連結要素に任意の適切な方法で）取り付け可能である。バルコニー壁または手すり１５は、柱１７によって、支持フレーム構造体の前部および側部セクション６４に（追加的に）固定される。
【００６４】
防水装置１５５は、さらに、底部プレート部分１１１と、後部プレート部分１１２とを含む。底部プレート部分１１１は、前部分の外側の下側縁に連結され、またはこれと一体化され、わずかに外方向に傾斜するように配置される。底部プレート部分１１１は、外側プレート部分１１０との境界面に隣接して複数の排出穴１１４を含み、水が前記穴を通って流出することを可能にする。底部プレート部分の反対側では、好ましくはこれと一体化して、後部プレート部分１１２が、装着された状態において、建物の壁に対して実質的に平行に延び、後部プレート部分の上側縁において、外方向に傾斜する水落下部分１１３が設けられ、この水落下部分は、その外側縁において、フレーム・セクション６４の下方で内側屋根ふき２２の下側と連結するように適合される。フレーム・セクションの底縁部分内に配設された穴１１６により、水は前記穴１１６を通って水落下部分１１３上へと流れさせられ、そして外方向に傾斜する底部分１１１上に下り、その中に設けられた排出穴１１４を通って出る。第１の外側プレート部分１１０は、主に、雨水が建物上に落下することを保護する。
【００６５】
図１０は、図９に示す防水装置の側面図である。ｗで示される矢印は、水の流出を概略的に示す。同様の要素は、図９と同じ参照番号を有し、本明細書ではこれ以上論じられない。
【００６６】
図９を参照して論じたように、第１の外側プレート部分１１０は、外方向に傾斜するように配置され、建物の壁に対して垂直な平面と共に角度βを形成する。ここではこの角度は、下方に位置するバルコニーのバルコニー壁の上側部分との角度として示される。これに対応して、底部プレート部分１１１は、前記壁と共に、βより小さい角度αを形成する。角度は、種々の値をとることができ、この値は水を効率的に流出できる限り重要ではない。また、βに関する限り、これは、入射する水が横から構造体に入ることを阻害し、ある程度は、真下に位置するバルコニー壁または同様のものの少なくとも上側部分上に入ることも阻害することを確実にすることができる。例としてのみであるが、βは３０°から７５°の間でよく、一方でαは５°から３０°の間でよい。しかし、これらの数字は例示するために与えられるにすぎず、限定する目的で与えられないことが明確であるはずである。
【００６７】
エレベータ・モジュールまたはそれぞれのエレベータ副モジュールにも、対応するまたは類似の防水装置が設けられ得る。
【００６８】
本発明は、明白に示す実施形態に限定されず、付属の特許請求の範囲内で自由に変更することができることが明確であるはずである。
【００６９】
建物アクセス・システムを既存の建物に装着するために、（もし存在する場合）古いバルコニーは取り外される。建物がバルコニーを備えない場合、ドアを壁内に取り込む必要があり、または窓を取り換える必要がある。いわゆるフレンチ・バルコニーが設けられる場合、そのようなドアを有利に使用することができる。
【００７０】
建物アクセス・システムは、部分的にまたは完全に一体化された装着装置、または完全に別個の装着装置を備えることができる。これはまた、建物の壁上にしっかりと、確実に、容易に装着でき、さらに、エレベータおよびバルコニー・モジュールの建物へのしっかりとした、確実な、および容易な装着を可能にすることができる限り、任意の特定の装着装置に限定されない。
【００７１】
建物アクセス・システムは、装着される建物に輸送するために実質的には事前製作されたモジュールとして、または別個の要素として設けられ得る。
【００７２】
モジュールはまた、エレベータ・モジュールと、エレベータ・モジュールの２つ以上の側部に、または１つの側部のみに、および／または（装着された状態で鉛直に見て）１つまたは複数の平面内にバルコニーを備えた１つまたは複数のバルコニー・モジュールとを備える一体型モジュールを備えることができる。
【００７３】
さらに、建物アクセス・システムには、防水装置が設けられても、設けられなくてもよい。防水装置を、付加することができる別個の実体として使用することができ、または最初から組み入れることができることも明確であるはずである。防水装置はまた、他のタイプのバルコニー、ガラスバルコニーと使用することもでき、またはいずれとも使用しなくてよい。防水装置はまた、数多くの異なるタイプのバルコニー、または他のタイプのプラットフォームなどに適用可能な任意選択の付加製品として製作することもできる。
【００７４】
本発明の特定の利点は、エレベータを設ける必要がある建物が、本発明の概念によってそれと同時にバルコニーが設けられ、またはバルコニーがすでに設けられている場合、新しいバルコニーが設けられ、それによって建物の価値および快適性を大幅に増大させることである。
【００７５】
本発明の結果生じる別の利点は、１つまたは複数の追加のフロアを既存の低層建物の上部に、たとえば２階建て、３階建て、またはそれ以上の階層の建物の上部にコスト効率良く付加できることである。そのような付加のコストは、新しく製造することに比べて約５０％のコストで達成できると推定される。
【００７６】
また、各共同住宅または事務所または同様のものからエレベータに非常に容易にアクセスできるようにすることも利点である。
【図１】
2018514488.tif 000003
【図２】
2018514488.tif 000004
【図３】
2018514488.tif 000005
【図３Ａ】
2018514488.tif 000006
【図３Ｂ】
2018514488.tif 000007
【図４Ａ】
2018514488.tif 000008
【図４Ｂ】
2018514488.tif 000009
【図４Ｃ】
2018514488.tif 000010
【図４Ｄ】
2018514488.tif 000011
【図５】
2018514488.tif 000012
【図６】
2018514488.tif 000013
【図７Ａ】
2018514488.tif 000014
【図７Ｂ】
2018514488.tif 000015
【図７Ｃ】
2018514488.tif 000016
【図８】
2018514488.tif 000017
【図９】
2018514488.tif 000018
【図１０】
2018514488.tif 000019
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
いくつかの階層を含む建物の外部に配置されるように適合された建物アクセス・システムであって、
エレベータ用のエレベータ・シャフトを備えたエレベータ・モジュールと、装着装置とを備え、さらに、１つまたは複数のバルコニーを含む少なくとも１つのバルコニー・モジュールを備え、前記各バルコニーが、その１つの側部に、前記エレベータ・モジュールに直接アクセスできるようにするための開口部またはバルコニー・ドアを備え、前記装着装置または少なくともその一部が、壁に、または前記壁に連結された装着要素に、または前記建物の屋根裏の根太床に連結されるように適合され、前記壁、前記装着要素、または前記屋根裏の根太床によって担持されまたは懸架され、前記少なくとも１つのバルコニー・モジュールが、前記装着装置によって前記建物に連結されるように適合され、したがって前記少なくとも１つのバルコニー・モジュールが、前記建物に連結された前記装着装置、またはその一部によって支持されまたは担持され、前記装着装置は、前記建物アクセス・システムと前記建物の前記壁とを相互連結し、前記エレベータ・モジュールおよび前記１つまたは複数のバルコニーまたはバルコニー・モジュールが、１つまたは複数の別個のモジュールを含み、またはエレベータ・モジュールおよび１つまたは複数のバルコニーまたはバルコニー・モジュールが、１つまたは複数の一体型のエレベータおよびバルコニーのモジュール／複数のモジュールを含む、建物アクセス・システム。
【請求項２】
前記装着装置が、前記壁および／または前記壁に連結された、またはたとえばボルトおよびナットまたは同様のものなどの締結手段によって建物の屋根裏の根太床に連結された、または前記屋根裏の根太床の一部を形成する第２の懸架式装着要素に連結するように構成されたいくつかの鉛直構造体の好ましくは中空セクションを備え、少なくとも１つのバルコニー・モジュールが、前記建物に連結された前記鉛直構造体の、好ましくは中空セクションにボルト留めするなどによって前記壁に連結可能であるように適合され、前記鉛直構造中空セクションは、少なくとも前記バルコニー・モジュールそれぞれの対向する後部の外側縁と前記壁を相互連結するための鉛直構造体の、好ましくは中空セクションがあるように配設されるように適合される、請求項１に記載の建物アクセス・システム。
【請求項３】
前記エレベータ・モジュールもまた、前記装着装置によって前記建物の前記壁に連結されるように適合され、前記装着装置は、さらに、前記エレベータ・シャフトと各バルコニーとの間で直接的にアクセスできるようにするように、前記エレベータ・モジュールおよび前記バルコニーおよび／またはバルコニー・モジュールと連結するように適合され、前記エレベータ・モジュールは、前記建物に連結された鉛直構造体の、好ましくは中空セクションにボルト留めするなどによって前記壁に連結可能であるように適合される、請求項１または２に記載の建物アクセス・システム。
【請求項４】
前記エレベータ・モジュールまたは複数のエレベータ・モジュールが、地面上に配置された支持構造体、たとえば土質基礎構造体によって担持されまたは支持されるように適合される、請求項１または２に記載の建物アクセス・システム。
【請求項５】
前記装着装置の前記鉛直構造体の、好ましくは中空セクションの２つの第１のものが、前記エレベータ・シャフトを形成する前記エレベータ・モジュール内に、前記壁と連結するために前記エレベータ・シャフトの後側に互いから距離を置いて配設される、請求項３に記載の建物アクセス・システム。
【請求項６】
前記各バルコニー・モジュールが、前記装着装置の１つまたは複数の第２の鉛直構造中空セクションに連結されるように適合される、請求項１〜５のいずれか一項に記載の建物アクセス・システム。
【請求項７】
種々の階層を提供するために、前記アクセス・システムの装着された状態において上下に配置された少なくとも２つのバルコニーまたはバルコニー・モジュールを備え、前記少なくとも２つのバルコニーが、各１つのバルコニーを含む別個のバルコニー・モジュール内、または２つ以上のバルコニーまたは１つのバルコニーおよびエレベータ・モジュールを備える一体型モジュール内に含まれる、請求項１〜６のいずれか一項に記載の建物アクセス・システム。
【請求項８】
種々の階層を提供するために、前記建物アクセス・システムの装着された状態において上下に配置された３つ以上のバルコニーまたはバルコニー・モジュールを備え、前記少なくとも３つのバルコニーは、各１つのバルコニーを含む別個のバルコニー・モジュール内、または３つ以上のバルコニーを備える一体型モジュール内に含まれる、請求項７に記載の建物アクセス・システム。
【請求項９】
少なくとも１つの平面または階層内に、前記エレベータ・シャフトの両側に位置する２つのバルコニー、またはバルコニー・モジュールを備える、請求項１〜８のいずれか一項に記載の建物アクセス・システム。
【請求項１０】
１つまたは複数のバルコニーが、前記エレベータ・モジュールの１つ、２つ、または３つの側に、同じおよび／または異なる平面内に配設された、一体型のエレベータおよびバルコニー・モジュールを含む、請求項１〜８のいずれか一項に記載の建物アクセス・システム。
【請求項１１】
前記各バルコニーが、前記建物の前記壁に沿って水平に配置されるように適合された後部セクションと、前部セクションと、２つの側部セクションとを備える支持床フレーム構造体を備える、請求項１〜１０のいずれか一項に記載の建物アクセス・システム。
【請求項１２】
前記エレベータ・モジュールが配設される側から外方を向く、前記側部セクションの前記後端部が、装着要素、たとえば前記第２の鉛直構造中空セクションの内側に隣接して配設され、位置し、共働する締結装置によって前記第２の鉛直構造中空セクションに連結可能であるように適合される、請求項１１に記載の建物アクセス・システム。
【請求項１３】
前記建物アクセス・システムの装着状態において、前記エレベータ・モジュールが配設される場所に隣接して位置する前記他の側部セクションの前記後端部が、前記装着装置の装着要素、たとえば別の前記第２の鉛直構造中空セクションの内側に隣接して位置し、共働する締結装置によって前記第２の鉛直構造中空セクションに、または第１の鉛直構造中空セクションに連結可能であるように適合される、請求項１２に記載の建物アクセス・システム。
【請求項１４】
前記鉛直構造中空セクションの一部、たとえば第２の鉛直構造中空セクションが、前記第２の鉛直構造中空セクションに対して垂直に配設された水平担持ビームまたは構造体中空セクションであって、前記建物アクセス・システムの装着された状態において突起し、前記建物の前記壁に対して実質的に９０°の角度を形成するように適合された、水平担持ビームまたは構造体中空セクションを含み、前記水平担持ビームまたは構造体中空セクションは、たとえば溶接によって前記建物に固定式に連結される、請求項２、または請求項２に従属する請求項３〜１２のいずれか一項に記載の建物アクセス・システム。
【請求項１５】
前記または各支持床フレーム構造体が、２つのそれぞれの前記水平担持ビームに連結され、または２つのそれぞれの前記水平担持ビームによって担持されるように適合される、少なくとも請求項１２に記載の建物アクセス・システム。
【請求項１６】
前記支持フレーム構造体の前記側部セクションが、前記水平担持ビームに連結可能であり、前記水平担持ビームは、前記側部セクションに沿って配設される、請求項１５に記載の建物アクセス・システム。
【請求項１７】
追加の担持要素であって、１つの端部において、前記支持床フレーム構造体の前記前部セクションまたは中間コーナ・セクションと接合する前記支持床フレーム構造体の前記側部セクションの前記外側縁により近い場所に連結されまたは固定され、反対側において、前記装着装置、たとえば前記側部セクションの前記それぞれの内側縁が連結される、または水平担持ビームが連結される鉛直構造中空セクションの装着要素に、前記連結から距離を離して連結されるように適合される、追加の担持要素をさらに備える、請求項１〜１６のいずれか一項に記載の建物アクセス・システム。
【請求項１８】
前記追加の担持要素の少なくとも一部が、前記側部セクションの前記内側縁が連結される前記点の下方点に、水平担持ビームによって直接的にまたは水平担持ビームを介して間接的に連結された支持ストラットを備える、請求項１７に記載の建物アクセス・システム。
【請求項１９】
前記エレベータ・モジュールから外方を向くフレーム側部セクションに配置されるように適合された追加の担持要素が、プルロッドを備え、前記追加の担持要素の外側端部にある前記プルロッドは、前記装着装置、たとえば鉛直構造中空セクションの装着要素に、前記対応する側部セクションが前記鉛直構造中空セクションに連結される点の上方に位置するそれぞれの点において、直接的にまたは水平担持ビームを介して間接的に連結される、請求項１７または１８に記載の建物アクセス・システム。
【請求項２０】
前記エレベータ・モジュールから外方を向く前記フレーム側部セクションが、プルロッドおよび／または支持ストラットによって前記鉛直構造中空セクションに追加的に連結される、請求項１７〜１９のいずれか一項に記載の建物アクセス・システム。
【請求項２１】
建物の前記壁に連結可能なコンソール要素をさらに備え、前記アクセス・システムの装着ための前記装着装置の少なくとも一部の装着要素、たとえば第１および／または第２の鉛直構造中空セクションの前記下側端部が、前記構造体の装着された状態において、前記コンソール要素に載置するように配置されるように適合される、請求項１〜２０のいずれか一項に記載の建物アクセス・システム。
【請求項２２】
前記第１の鉛直構造中空セクションがＬ字形状であり、前記第１の鉛直構造中空セクションの前記下側端部は、建物上に装着された状態において、前記建物の前記外部壁に沿って鉛直に延びる第１の脚部セクションと、前記第１の脚部セクションと共に９０°の角度を形成する第２の脚部セクションとを備え、装着された状態において、前記第２の脚部セクションは、前記コンソール要素の第２の脚部セクション上に載置するように配置され、前記コンソール要素は、前記コンソール要素の前記Ｌ字形状を形成する第１および第２の脚部セクション内に配設されたくさびを備えた逆Ｌ字の形状を有する、請求項２に記載の建物アクセス・システム。
【請求項２３】
前記支持床フレーム構造体が、前記後部フレーム・セクションから前記前部フレーム・セクションまで平行に延びるいくつかの水平ビームと、前記支持床フレーム構造体の上部に位置するように適合されたグレーティング床または同様のものと、たとえば別の下方に配設されたバルコニー内側屋根を形成する、前記支持床フレーム構造体の下側部に連結されるように適合された屋根ふき要素とを備え、各バルコニーが、さらに、前壁、第１および第２の側壁を少なくとも備える壁配置を備え、前記エレベータ・シャフトに通じる前記バルコニー・ドアは、それぞれのバルコニーのそれぞれの第１の側壁内に配設される、請求項１〜２２のいずれか一項に記載の建物アクセス・システム。
【請求項２４】
バルコニーが、さらに、水に対して保護し、水の流出を支援するための、たとえば金属のベント・プレート構造体を備え、前記プレート構造体は、第１の外側の外方向に傾斜するプレート部分であって、前記プレート部分の上側縁に前記支持床フレーム構造体の前記側部および前部セクションの上側部に沿って配設されたフランジによって、前記バルコニー壁の下側縁の内側に取り付け可能である、第１の外側の外方向に傾斜するプレート部分と、後部プレート部分を前記第１の外側プレート部分に相互連結する底部プレート部分とを備え、前記底部プレート部分は、外方向にわずかに傾斜し、さらに、前記第１の外側プレート部分との接合部の近くに、水の流出を可能にする排出穴が設けられ、前記後部プレート部分は、前記／１つのバルコニー内側屋根ふきの下方に取り付けられた上側の、より急な外側に傾斜する水落下部分を含む、請求項２３に記載の建物アクセス・システム。
【請求項２５】
エレベータ・モジュールと、建物アクセス・システムを建物上に装着するための装着装置とを備える、前記建物アクセス・システムを、前記建物に提供するための方法であって、
前記装着装置の少なくとも一部を前記建物に連結するステップと、
前記アクセス・システムの、１つまたは複数のバルコニーを含む前記少なくとも１つまたは複数のバルコニー、またはバルコニー・モジュールを、前記装着装置に連結するステップ、およびエレベータ・シャフトを備えた前記エレベータ・モジュールを前記装着装置および／または地面上に配置された支持構造体、たとえば土質基礎構造体に連結するステップであって、各前記バルコニーは、前記エレベータにアクセスできるようにするための開口部またはバルコニー・ドアを備え、前記開口部／開口部またはバルコニー・ドア／複数のドアが、バルコニー側壁、または前記エレベータ・シャフトに隣接し連通するバルコニー側部手すり上に設けられ、前記少なくとも１つまたは複数のバルコニーまたはバルコニー・モジュールは、１つまたは複数のバルコニーを含み、エレベータ用のエレベータ・シャフトを備えた前記エレベータ・モジュールは、別個のモジュールとしてまたは１つまたは複数の一体型モジュールとして連結され、または装着される、前記装着装置および／または支持構造体に連結するステップとを含む、方法。
【請求項２６】
少なくとも２つのバルコニーまたは少なくとも１つのバルコニーおよび少なくともエレベータ・モジュールまたはエレベータ副モジュールを備える１つまたは複数の一体型モジュール備える前記アクセス・システムを連結するステップであって、それにより、少なくとも２つのバルコニーは、前記アクセス・システムの装着された状態において、鉛直に異なる平面内に配設されて少なくとも２つの階層を提供し、ならびに／または少なくとも２つのバルコニーは、前記エレベータ・モジュールの異なる側部に配設されて少なくとも２つの異なる平面または階層を提供する、１つまたは複数の一体型モジュールを連結するステップを含む、請求項２５に記載の方法。
【請求項２７】
いくつかの階層を含む建物の外部に配置されるように構成された建物アクセス・システムであって、
エレベータ用のエレベータ・シャフトを備えたエレベータ・モジュールと、
装着装置と、
少なくとも一つのバルコニーを含む少なくとも１つのバルコニー・モジュールと、を備え、
前記各バルコニーは、その１つの側部に、前記エレベータ・モジュールに直接アクセスするための開口部またはバルコニー・ドアを備え、
前記装着装置または少なくともその一部は、壁、前記壁に連結された装着要素または前記建物の屋根裏の根太床に坦持または懸架されて連結されるように構成され、
前記少なくとも一つのバルコニー・モジュールが、前記装着装置によって前記建物に連結されるように構成され、したがって前記少なくとも一つのバルコニー・モジュールは、前記建物に連結された前記装着装置、またはその一部によって支持または担持可能であり、
前記装着装置は、前記建物アクセス・システムと前記建物の前記壁とを相互連結し、
前記エレベータ・モジュールおよび前記少なくとも一つのバルコニーまたはバルコニー・モジュールが、少なくとも一つの別個のモジュールを含み、またはエレベータ・モジュールおよび少なくとも一つのバルコニーまたはバルコニー・モジュールが、少なくとも一つの一体型のエレベータおよびバルコニーのモジュール／複数のモジュールを含む、
建物アクセス・システム。
【請求項２８】
前記バルコニーは、前記建物の居住エリアにアクセスするための開口部を備える、
請求項１または２７に記載の建物アクセス・システム。
【請求項２９】
複数階層を含む建物の外部に配置されるように構成された建物アクセス・システムであって、
エレベータ用のエレベータ・シャフトを備えたエレベータ・モジュールと、
前記エレベータおよび前記建物の居住エリアの双方にアクセス可能に構成されたバルコニーを含むバルコニー・モジュールと、
前記バルコニー・モジュールと前記建物とを相互連結する装着装置と、を備える、
建物アクセス・システム。
【請求項３０】
前記エレベータ・モジュールと前記バルコニー・モジュールとが一体型モジュールとして構成されている、
請求項２９に記載の建物アクセス・システム。
【請求項３１】
前記装着装置は、前記建物の壁または前記建物の屋根裏の根太床によって坦持または懸架可能であるとともに、前記バルコニー・モジュールを支持または坦持可能である、
請求項２９または３０に記載の建物アクセス・システム。
【請求項３２】
複数階層を含む建物の外部に配置されるように構成された建物アクセス・システムに用いられるバルコニー・モジュールであって、
それぞれエレベータ・モジュールのエレベータ・シャフト内を通るエレベータおよび前記建物の居住エリアの双方にアクセス可能に構成された、少なくとも一つのバルコニーを含み、
装着装置によって前記建物と相互連結される、
バルコニー・モジュール。
【請求項３３】
複数階層を含む建物の外部に配置されるように構成された建物アクセス・システムに用いられる一体型モジュールであって、
エレベータ用のエレベータ・シャフトを備えたエレベータ・モジュールと、
前記エレベータ・モジュールと一体に構成され、それぞれ前記エレベータおよび前記建物の居住エリアの双方にアクセス可能に構成された、少なくとも一つのバルコニーを含み、装着装置によって前記建物と相互連結される少なくとも一つのバルコニー・モジュールと、を備える、
一体型モジュール。
【国際調査報告】
2018514488.tif 000020
2018514488.tif 000021